(57)【特許請求の範囲】
【請求項１】
一方のコネクタハウジングに、傾斜状のガイド孔を有するスライダがコネクタ嵌合直交方向に挿入され、他方のコネクタハウジングに、該ガイド孔に係合する従動突起が設けられた低挿入力コネクタにおいて、
該一方のコネクタハウジングに、係止突起を有する仮係止アームがコネクタ嵌合方向に向けて設けられ、前記両コネクタハウジングの嵌合前において該係止突起が前記従動突起に対向して位置し、該係止突起の垂直な一側面が前記ガイド孔の入口部の垂直な一側面に当接することで前記スライダが仮係止され、該入口部に隣接して該スライダに、該係止突起に対する乗り上げ部と逃がし部とがスライダ離脱方向に順次形成され、該係止突起の他側面が傾斜面として形成され、該入口部の垂直な他側面が該傾斜面に沿って摺接しつつ該スライダが抜き出されることを特徴とする低挿入力コネクタ。
【請求項２】
前記逃がし部の端縁が傾斜状に形成され、前記係止突起が該逃がし部に進入した状態で、該係止突起の他側面が該逃がし部の端縁に接することを特徴とする請求項１記載の低挿入力コネクタ。
【請求項３】
前記スライダに、係止突起を有する補助係止アームが設けられ、前記一方のコネクタハウジングに、該係止突起に対する仮係止用の孔部と本係止用の孔部とが設けられたことを特徴とする請求項１又は２記載の低挿入力コネクタ。
【請求項４】
前記補助係止アームの係止突起に、スライダ離脱方向の垂直な係止面と傾斜面とが形成され、前記仮係止用の孔部に、該係止面に対する垂直な当接面が形成されたことを特徴とする請求項３記載の低挿入力コネクタ。
【発明の詳細な説明】
【０００１】
【発明の属する技術分野】
本発明は、雄・雌両コネクタを低い操作力で嵌合させるためのスライダの仮係止力を高めて、スライダの不意な押し込みを防止した低挿入力コネクタに関するものである。
【０００２】
【従来の技術】
図１２は、特開昭６１−２０３５８１号公報に記載された従来の低挿入力コネクタを示すものである。
この低挿入力コネクタ５１は、合成樹脂製の雄コネクタハウジング５２と雌コネクタハウジング５３及びスライダ５４とを備えるものであり、雄コネクタハウジング５２に従動突起５５、雌コネクタハウジング５３に、従動突起５５に対するコネクタ嵌合方向のガイド溝５６、スライダ５４に、従動突起５５に対する傾斜状のガイド孔５７がそれぞれ形成され、スライダ５４の押込み操作で従動突起５５がガイド孔５７とガイド溝５６に沿ってコネクタ嵌合方向に誘導され、それにより両コネクタハウジング５２，５３が嵌合する。
【０００３】
実際には、雄コネクタハウジング５２内に電線付きの雌端子（図示せず）、雌コネクタハウジング５３内に電線付きの雄端子（図示せず）がそれぞれ収容され、雌コネクタハウジング５３のコネクタ嵌合室５８内に雄端子（図示せず）のタブ状接触部が突出して位置する。各コネクタハウジング５２，５３と各端子とで各コネクタが構成される。そして多極の雄・雌両端子の嵌合に大きな力を要するために、上記ガイド孔５７の長さをコネクタ嵌合距離よりも長くして、コネクタの低挿入力化を図っている。
【０００４】
スライダ５４はコネクタ嵌合室５８内に挿入される。雌コネクタハウジング５３には、スライダ５４に対する仮係止アーム５９と本係止アーム６０とがスライダ挿入方向に設けられている。仮係止アーム５９はスライダ５４の段部６１に対する当接突部を有し、本係止アーム６０はスライダ５４の突起６２に対する係合凹部を有している。
【０００５】
スライダ５４が仮係止アーム５９を撓ませてコネクタ嵌合室５８に初期挿入され、仮係止アーム５９の突部がスライダ５４の段部６１に係合し、スライダ５４の後抜けが防止される。この状態で、コネクタ嵌合室５８内に雄コネクタハウジング５２が初期嵌合される。雄・雌両端子（図示せず）は未だ接触していない。スライダ５４をさらに押し込むことで、前述の如く従動突起５５がガイド孔５７に沿ってコネクタ嵌合方向に導入され、両コネクタハウジング５２，５３が嵌合しつつ雄・雌両端子が接続される。スライダ５４を完全に押し込んだ状態で、本係止アーム６０に突起６２が係合し、スライダ５４の後抜けが防止される。
【０００６】
しかしながら、上記従来の構造にあっては、雄コネクタハウジング５２とは別個に雌コネクタハウジング５３にスライダ５４を初期挿入させた状態で（例えばワイヤハーネスＡｓｓｙの状態で）輸送する際に、スライダ５４が外部と軽く干渉しただけで簡単に押し込まれて本係止の状態になってしまい、車両の組立工程で雄コネクタハウジング５２を雌コネクタハウジング５３に嵌合させようとする際に、一々スライダ５４を初期挿入の状態に引き戻さなければならず、余計な手間がかかり、作業性が悪化したり、不慣れな場合は本係止を解除できなかったり、スライダ５４の引き戻しが不十分であったりして、コネクタ相互の正常な嵌合作業が行われなくなるという懸念があった。
【０００７】
一方、図１３(a)(b)〜図１４(a)(b)は、特開平６−２１５８２７号公報に記載された従来の低挿入力コネクタを示すものである。
この低挿入力コネクタ６５は雄コネクタハウジング６６と雌コネクタハウジング６７とスライダ６８とを備え、雄コネクタハウジング６６は従動突起６９を有し、スライダ６８は、従動突起６９に対する傾斜状のガイド孔７０と、雄コネクタハウジング６６に対するコネクタ嵌合方向の係止アーム７１とを有している。雄コネクタハウジング６６には、係止アーム７１の係止突起７２に対する係合穴７３が設けられている。雌コネクタハウジング６７の開口側の鍔部７４には、係止アーム７１の先端に対する仮係止用の凹部７５が形成されている。
【０００８】
図１３の状態で係止アーム７１の先端が凹部７５に係合し、スライダ６８が雌コネクタハウジング６７に仮係止されている。雄コネクタハウジング６６を雌コネクタハウジング６７に初期嵌合させることで、従動突起６９がガイド孔７０の入口部に係合すると共に、係止アーム７１の係止突起７２が雄コネクタハウジング６６に押されて、係止アーム７１が外側に撓んで仮係止が解除される。
【０００９】
この状態から図１４(b) の矢印イの如くスライダを押し込むことで、従動突起６９がガイド孔７０に沿ってコネクタ嵌合方向に誘導され、両コネクタ（電線付き端子は図示せず）が完全嵌合する。両コネクタの完全嵌合と同時に係止アーム７１の突起７２が係合穴７３に係合し、雄コネクタハウジング６６が抜け出しなくロックされ、且つスライダ６８が本係止される。
【００１０】
【発明が解決しようとする課題】
しかしながら、上記従来の構造にあっては、スライダ６８の仮係止手段はあるものの、係止アーム７１の先端と雌コネクタハウジング６７の鍔部７４の凹部７５との係合であるために、仮係止力が小さく、前例と同様に輸送中等における外部との干渉等により、不意なスライダ６８の押し込みや抜け出しが生じるという懸念があった。
【００１１】
本発明は、上記した点に鑑み、スライダの仮係止力をアップさせ、輸送時等における外部との干渉等により、スライダが簡単に押し込まれたり、抜け出したりすることを確実に防止できる低挿入力コネクタを提供することを目的とする。
【００１２】
【課題を解決するための手段】
上記目的を達成するために、本発明は、一方のコネクタハウジングに、傾斜状のガイド孔を有するスライダがコネクタ嵌合直交方向に挿入され、他方のコネクタハウジングに、該ガイド孔に係合する従動突起が設けられた低挿入力コネクタにおいて、該一方のコネクタハウジングに、係止突起を有する仮係止アームがコネクタ嵌合方向に向けて設けられ、前記両コネクタハウジングの嵌合前において該係止突起が前記従動突起に対向して位置し、該係止突起の垂直な一側面が前記ガイド孔の入口部の垂直な一側面に当接することで前記スライダが仮係止され、該入口部に隣接して該スライダに、該係止突起に対する乗り上げ部と逃がし部とがスライダ離脱方向に順次形成され、該係止突起の他側面が傾斜面として形成され、該入口部の垂直な他側面が該傾斜面に沿って摺接しつつ該スライダが抜き出されることを特徴とする（請求項１）。
前記逃がし部の端縁が傾斜状に形成され、前記係止突起が該逃がし部に進入した状態で、該係止突起の他側面が該逃がし部の端縁に接する（請求項２）。
また、前記スライダに、係止突起を有する補助係止アームが設けられ、前記一方のコネクタハウジングに、該係止突起に対する仮係止用の孔部と本係止用の孔部とが設けられる（請求項３）。前記補助係止アームの係止突起に、スライダ離脱方向の垂直な係止面と傾斜面とが形成され、前記仮係止用の孔部に、該係止面に対する垂直な当接面が形成される（請求項４）。
【００１３】
【発明の実施の形態】
図１〜図５は、本発明に係る低挿入力コネクタの一実施形態を示すものである。
この低挿入力コネクタ１は、図１，図２の如く、合成樹脂製の雌コネクタハウジング２と、雌コネクタハウジング２のコネクタ嵌合室３内にコネクタ嵌合直交方向に挿入される合成樹脂製のスライダ４と、コネクタ嵌合室３内に嵌合する合成樹脂製の雄コネクタハウジング５（図２）とを備えるものであり、コネクタ嵌合室３を構成する雌コネクタハウジング２のフード部６にコネクタ嵌合方向の仮係止アーム７が形成され、仮係止アーム７の先端側の係止突起８（図２）がスライダ４の傾斜状（カム状）のガイド孔９の入口部１７に係合し、雄コネクタハウジング５の従動突起１０によって仮係止アーム７が外向き（上向き）に撓み可能で、スライダ４に、係止突起８に対する逃がし孔（逃がし部）１１が形成されたことを特徴とする。
【００１４】
図１の如く、スライダ４は上下一対の長方形の基板部１２と、各基板部１２の付根側を連結する操作部１３とで構成され、各基板部１２には各一対のガイド孔９が形成され、一方（上側）の基板部１２の挿入方向後側のガイド孔９の後側に隣接して、仮係止アーム７の係止突起８（図２）に対する逃がし孔１１が形成されている。
【００１５】
ガイド孔９は基板部１２を板厚方向に貫通して形成されている。ガイド孔９は、コネクタ嵌合方向の短い入口部１７と、入口部１７から挿入反対方向に傾斜して続く長い傾斜部１８と、傾斜部１８の終端側に続く短い水平なロック部１９とで構成されている。入口部１７は基板部１２の一側端に開口し、各入口部１７の外側には幅狭な連結部１４と幅広な連結部１５が形成されて、ガイド孔９の開きが防止されている。
【００１６】
入口部１７の幅は係止突起８（図２）の幅よりも若干大きく設定され、入口部１７内に係止突起８が進入可能である。係止突起８が入口部１７に係合することで、スライダ４が雌コネクタハウジング２に仮係止される。スライダ４の仮係止状態は後述の垂直な面同士の当接による完全ロックによって得られる。スライダ４の前側（挿入先端側）のガイド孔９の入口部１７は、スライダ４の挿着時に係止突起８（図２）が入らないように、カバー状の幅広な連結部１５で覆われている。
【００１７】
前記逃がし孔１１は入口部１７の横からガイド孔９の傾斜部１８に沿って略三角形状に形成され、基板部１２の板厚方向に貫通している。逃がし孔１１と入口部１７との間に、係止突起８（図２）と同程度の横幅の平坦な乗り上げ部１６が水平に位置している。逃がし孔１１は係止突起８の前後幅よりも大きく開口し、係止突起８を完全に収容可能である。
【００１８】
図２の如く、係止突起８は断面略三角形状に形成され、前側（先端側）のテーパ状の第一傾斜面８ａと、乗り上げ部１６側の一側面である係止面８ｂと、後側の垂直面８ｃと、他側面である第二傾斜面（図示せず）とを有している。係止面８ｂは仮係止アーム７の板厚方向に垂直に形成されている。係止面８ｂに対応してガイド孔９の入口部１７の一側面１７ａも基板部１２の板厚方向に垂直に形成されている。スライダ４の不意な押し込み動作時に、係止突起８の係止面８ｂと入口部１７の一側面１７ａすなわち乗り上げ部１６の前端面とが垂直な面同士で当接することで、スライダ４の押し込み方向の仮係止力が高まり、完全ロックが可能となっている。
【００１９】
逃がし孔１１と傾斜部１８の各前端上部にはテーパ状のガイド傾斜面２０が形成されている。スライダ４の引き出し時には、ガイド傾斜面２０に沿って係止突起８の他側方の第二の傾斜面（図示せず）がスムーズに摺接可能であり、スライダ４の引き出し操作すなわちコネクタの離脱操作がスムーズに行われ、且つ係止突起８がガイド孔９の入口部１７にスムーズに進入して、容易且つ確実に仮係止状態が得られる。傾斜部１８側のガイド傾斜面２０は、係止突起８の付根の湾曲部（図示せず）に対する逃がし部としても作用する。
【００２０】
なお、係止突起８の第二傾斜面とスライダのガイド傾斜面２０との何れか一方を形成した場合でも上記同様の摺接作用を得ることができる。また、係止突起８を逃がし孔１１の前端側の傾斜部１８の形状に合わせて斜めに切欠形成することも可能である。
【００２１】
雌コネクタハウジング２のフード部６（端子収容部２１よりも外側に大きく膨出している部分）の一壁部（上壁）２２を略コの字状にスリット２３で切欠することで可撓性の仮係止アーム７が構成されている。仮係止アーム７はコネクタ嵌合方向に延び、スライダ４の挿入方向とは直交して位置している。仮係止アーム７の先端に内向きに係止突起８が設けられ、係止突起８はフード部６内のスライダ挿入空間２４に突出している。
【００２２】
図１の如く、仮係止アーム７の前端に対向してフード部６の前端縁（内向きの鍔部）２５に、雄コネクタハウジング５（図２）の従動突起１０に対する矩形状のガイド溝２６が形成されている。フード部６の両側壁２７には上下一対のスリット状のスライダ挿通孔２８が形成されている。
【００２３】
また、スライダ４の他側端すなわちガイド孔９の入口部１７とは反対側に、雌コネクタハウジング２に対する可撓性の補助係止アーム２９がスライダ長手方向に設けられている。補助係止アーム２９はスライダ４の本係止を行うものであるが、スライダ４の仮係止を前記仮係止アーム７と同時に行わせることも可能である。
【００２４】
図２の如く、雄コネクタハウジング５の従動突起１０は短円柱状に形成され、雌コネクタハウジング２の各ガイド溝２６に対応して、上下の壁部３０の前端側に各一対設けられている。従動突起１０は係止突起８の第一傾斜面８ａに対向して位置し、従動突起１０と係止突起８とは両コネクタハウジング２，５の嵌合深さに係わらず、常にコネクタ嵌合方向の一直線上に位置する。
【００２５】
図２の状態で、仮係止アーム７の係止突起８がスライダ４のガイド孔９の入口部１７に係合しており、スライダ４が完全ロックの状態で仮係止されている。これにより、外部との干渉等による不意な押し込みによっても、スライダ４が押し込まれることがなく、スライダ４の空振り、すなわち両コネクタハウジング２，５が嵌合しないのにスライダ４が押し込まれる不具合が確実に防止される。また、仮係止アーム７はスライダ操作方向と直交してコネクタ嵌合方向に突出したものであり、係止突起８の一側面８ｂがガイド孔９の入口部１７の側面１７ａで係止アーム７の幅方向に押圧されるから、仮係止時における仮係止アーム７の座屈が発生せず、従来のような係止力不足が起こらない。
【００２６】
図２の状態でスライダ４は操作部１３側に大きく突出している。図２で右側の従動突起１０に対向してスライダ４の先端側のガイド孔９（図１）の入口部１７が位置している。雄コネクタハウジング５は雌コネクタハウジング２に未嵌合の状態である。
【００２７】
雄コネクタハウジング５には電線付きの雌端子（図示せず）が収容され、雌コネクタハウジング２には電線付きの雄端子（図示せず）が収容され、雄端子のタブ状ないしピン状の電気接触部がフード部６内のコネクタ嵌合室３（図１）に突出している。各端子と各コネクタハウジング２，５とで各コネクタが構成される。
【００２８】
図３の如く雄コネクタハウジング５を雌コネクタハウジング２のフード部６内に嵌合し始めると同時に、従動突起１０が係止突起８の第一傾斜面８ａに押接して仮係止アーム７を外側に撓ませる。これにより、係止突起８とガイド孔９の入口部１７との係合が解除され、すなわちスライダ４の仮係止が解除され、スライダ４を押し込み可能となる。係止突起８の先端は従動突起１０の円形の先端面１０ａに押接している。係止突起８の先端が従動突起１０の先端面１０ａから離れる前に、従動突起１０がガイド孔９の傾斜部１８に押接し、スライダ４が押し込み方向に移動する。
【００２９】
そして図４の如く、スライダ４を長手方向に押し込むことにより、仮係止アーム７が外側（上側）に撓んだ状態で、係止突起８がスライダ４の基板部１２の乗り上げ部１６上を摺接する。従動突起１０はガイド孔９の傾斜部１８に摺接しつつコネクタ嵌合方向に導かれる。これにより雄コネクタハウジング５が雌コネクタハウジング２内に嵌合していく。
【００３０】
スライダ４の仮係止解除を雄コネクタハウジング５の従動突起１０で行うから、従来のスライダの仮係止解除におけるような専用の解除部材が不要となり、構造の簡素化・コンパクト化・軽量化・低コスト化が図られる。
【００３１】
図５の如く、係止突起８がスライダ４の逃がし孔１１に進入しつつ、仮係止アーム７の撓みが解除されて、仮係止アーム７が真直に復元する。スライダ４の押し込み操作に伴って両コネクタハウジング２，５が嵌合していく。両コネクタハウジング２，５の完全嵌合時に仮係止アーム７の係止突起８は逃がし孔１１の後端寄りに位置し、従動突起１０はガイド孔９のロック部１９内に位置する。従動突起１０は常に仮係止アーム７の内側に位置して保護されている。スライダ４の完全押し込み状態で、スライダ４の前端部はフード部６のスライダ挿通孔２８（図１）から突出する。
【００３２】
なお、前後一対のガイド孔９の間隔と一対の従動突起１０の間隔を詰めることにより、スライダ４の前端部を外側に突出させることなく、フード部６内に収容することも可能である。両コネクタハウジング２，５を離脱させる際は、スライダ４を抜き出し方向に引っ張ることにより、図５〜図２の順で両コネクタハウジング２，５がスムーズに離脱する。
【００３３】
図６〜図９は、上記低挿入力コネクタ１と類似の形態の低挿入力コネクタ１におけるスライダ４の押し込み操作と両コネクタハウジング２，５の嵌合動作を順に示すものである。前記実施形態との相違点は主に各部の寸法等であり、基本的な構成は同一であるので、前記実施形態と同一の符号を付して詳細な説明を省略する。
【００３４】
図６，図７の如く、スライダ４の仮係止状態で、仮係止アーム７はフード部６と同一面に位置している。仮係止アーム７の内側面に係止突起８が設けられ、係止突起８は、図６の如く、スライダ４のガイド孔９（図１）の入口部１７の一側面１７ａに当接する垂直な係止面８ｂを一側方に有し、逃がし孔１１（図１）の前端に摺接するテーパ状の第二傾斜面８ｄを他側方に有している。本実施形態では仮係止アーム７の幅は係止突起８の幅や入口部１７の幅よりも大きく設定されている。スライダ４を仮係止状態から引き出す（離脱させる）場合は、第二傾斜面８ｄに入口部１７の他側面がスムーズに摺接することで、作業が容易である。
【００３５】
図７の如く、スライダ４の仮係止状態で、雌コネクタハウジング２のコネクタ嵌合室３内に雄コネクタハウジング５の先端部が初期挿入され、従動突起１０は入口部１７に少し進入している。雌コネクタハウジング２の下壁３１には、図示しない車両ボディ側のブラケットに対する固定用のスライド係合部３２とロックアーム３３が設けられている。
【００３６】
図８，図９の如く、雄コネクタハウジング５を雌コネクタハウジング２に嵌合させる途中で、仮係止アーム７が従動突起１０で押し上げられて、スライダ４の仮係止が解除される。仮係止アーム７はフード部６の表面よりも外側に撓んで突出する。
【００３７】
仮係止アーム７がフード部６と一体に形成されているから、コネクタ未嵌合の状態でスライダ４を仮係止させる場合やスライダ４の挿入フィーリングを検査する場合等において、仮係止アーム７を治具棒（図示せず）等で外側に容易に撓ませることができ、作業が容易である。なお、スライダ４の先端にテーパ部（図示せず）を形成し、テーパ部で係止突起８を持ち上げるようにすれば、仮係止アーム７の撓み操作を行わなくても、スライダ４の挿着を容易に行うことができる。
【００３８】
図８の状態からスライダ４を押し込むことで両コネクタが低挿入力で嵌合する。両コネクタハウジング２，５内には図示しない電線付きの端子が収容されており、この状態のコネクタの雄・雌両端子の嵌合に要する力がスライダ４の操作で軽減される。仮係止アーム７は復元してフード部６と同一面に位置する。スライダ４の完全押し込み状態で操作部１３側の内面３４が雌コネクタハウジング２の側壁２７の外面に当接する。本実施形態のスライダ４はフード部６内に完全に収容され、スライダ４の先端は外部に突出しない。フード部６のスライダ挿通孔２８（図１）は一側壁２７にのみ設ければよい。
【００３９】
図１０〜図１１は、上記低挿入力コネクタ１のスライダ４の補助係止アーム２９（図１）の作用を示すものである。
図１０の如く、補助係止アーム２９はスライダ４の長手方向中間部においてガイド孔９の入口部１７とは反対側に設けられ、スライダ４の操作部１３に向けてスライダ離脱方向に延びており、先端側に外向きの係止突起３６を有している。
【００４０】
係止突起３６には前後に傾斜面３６ａ，３６ｂが形成されると共に、前側（先端側）の傾斜面３６ａが幅方向に切欠された如くに、アーム本体３９に対して垂直な係止面３６ｃが形成されている。前側の傾斜面３６ａと係止面３６ｃとは補助係止アーム２９の幅方向に並んで段付きに形成されている。係止面３６ｃは傾斜面３６ａよりも幅広に形成されている。
【００４１】
雌コネクタハウジング２のフード部６の底壁４１には、係止突起３６に対する仮係止用の略矩形状の孔部４２と本係止用の矩形状の孔部４３とがスライダ挿入方向に間隔をあけて一直線上に設けられている。
【００４２】
図１１にも示す如く、仮係止用の孔部４２には、係止突起３６の傾斜面３６ａに対する幅狭の面４２ａと、係止面３６ｃに対する幅広の当接面４２ｃとが幅方向に段付きに形成されている。幅広の当接面４２ｃはスライダ離脱方向に位置し、底壁４１に対して板厚方向に垂直に形成されている。本実施形態ではスライダ４の一対の基板部１２のそれぞれに補助係止アーム２９が設けられている。
【００４３】
図１０のスライダ仮係止状態でスライダ４に引き出し方向の外力が作用した場合には、補助係止アーム２９の垂直な係止面３６ｃが孔部４２の垂直な当接面４２ｃに当接して、強い係止力を発揮する。これにより、不意なスライダ４の抜け出しが防止される。スライダ４を意識的にやや強く引っ張れば、幅狭な傾斜面３６ａが孔部４２の幅狭な面４２ａの開口縁に摺接して、係止突起３６が孔部４２からスムーズに離脱し、スライダ４の仮係止が解除される。
【００４４】
本係止用の孔部４３には、係止突起３６の垂直な係止面３６ｃに対する垂直な当接面は特に設けられていない。スライダ４の本係止状態ではスライダ４が押し込まれているために外部との干渉も少なく、また、ガイド孔９の水平なロック部１９に雄コネクタハウジング５（図７）の従動突起１０が係合しているために、スライダ４は容易に抜け出さないためである。
【００４５】
図１０の状態からスライダ４を押し込み、両コネクタハウジング２，５が完全に嵌合すると同時に、補助係止アーム２９の係止突起３６が本係止用の孔部４３に係合する。本係止の解除はスライダ４を引っ張ることで、係止突起３６の傾斜面３６ａが孔部４３の開口縁に摺接してスムーズに行われる。また、スライダ４の押し込み操作は、係止突起３６の傾斜面３６ｂが孔部４２の他側面４２ｂ側の開口縁に摺接することでスムーズに行われる。前記仮係止アーム７（図６）により、スライダ４の仮係止の不意な解除が防止されることは言うまでもない。
【００４６】
【発明の効果】
以上の如く、請求項１記載の発明によれば、仮係止アームの係止突起が一方のコネクタハウジングのガイド孔の入口部に係合することで、スライダが仮係止されるが、その際、係止突起の垂直な一側面と入口部の垂直な一側面とが当接することで高い仮係止力が発揮され、それにより、輸送途中等におけるスライダの不意な押し込みが確実に防止され、スライダの引き出し作業等の無駄な手間がかからなくなる。
【００４７】
また、他方のコネクタハウジングの従動突起によって仮係止アームが係止解除方向に撓ませられるから、仮係止解除のための特別な部材が不要で、構造が簡素化、低コスト化される。また、従動突起で撓ませられた仮係止アームの係止突起が、スライダの押し込み動作に伴って乗り上げ部上を摺接し、次いで逃がし部内に進入して、仮係止アームが復元する。このようにして仮係止アームの係止解除と復元とがスムーズ且つ確実に行われ、仮係止解除後は係止突起がスライダのどこにも弾性接触しないから、スライダの押し込み操作が小さな力でスムーズに行われる。また、請求項２記載の発明によれば、スライダを完全押し込み状態すなわちコネクタ嵌合状態から引き出す際に（コネクタを離脱させる際に）、仮係止アームの係止突起の他側面とスライダの逃がし部の端縁とが傾斜によってスムーズに摺接し、スライダの引き出し操作すなわちコネクタ離脱操作が小さな力でスムーズに行われる。
【００４８】
また、請求項３記載の発明によれば、補助係止アームの係止突起が一方のコネクタハウジングの仮係止用の孔部に係合することで、スライダの仮係止力がさらに補強され、補助係止アームの係止突起が本係止用の孔部に係合することで、スライダが完全押し込み状態すなわちコネクタ嵌合状態で抜け出しなく本係止される。また、請求項４記載の発明によれば、補助係止アームの係止突起のスライダ離脱方向の垂直な係止面が仮係止用の孔部の垂直な当接面に当接することで、輸送途中等におけるスライダの仮係止状態からの不意な抜け出しが確実に防止され、スライダの欠品や紛失等が防止される。
【図面の簡単な説明】
【図１】本発明に係る低挿入力コネクタの一実施形態を示す分解斜視図である。
【図２】同じく低挿入力コネクタのスライダの仮係止状態を示す斜視図である。
【図３】同じく雄コネクタハウジングを初期嵌合させた状態を示す斜視図である。
【図４】同じくスライダの仮係止が解除された状態を示す斜視図である。
【図５】同じくコネクタ嵌合途中で仮係止アームが復元した状態を示す斜視図である。
【図６】類似の実施形態におけるスライダの仮係止状態を示す正面図である。
【図７】同じくスライダの仮係止状態における縦断面図である。
【図８】同じく仮係止アームの係止を解除する状態を示す正面図である。
【図９】同じく仮係止アームの係止を解除する状態を示す縦断面図である。
【図１０】類似の実施形態におけるスライダの補助係止状態を示す平面図である。
【図１１】同じくスライダの補助係止状態を示す正面図である。
【図１２】一従来例を示す分解斜視図である。
【図１３】他の従来例を示し、(a) は縦断面図、(b) は平面図である。
【図１４】同じくコネクタ嵌合途中の状態を示し、(a) は縦断面図、(b) は平面図である。
【符号の説明】
１      低挿入力コネクタ
２      雌コネクタハウジング
４      スライダ
５      雄コネクタハウジング
７      仮係止アーム
８      係止突起
８ｂ    係止面（一側面）
８ｄ    第二傾斜面（他側面）
９      ガイド孔
１０    従動突起
１１    逃がし孔（逃がし部）
１６    乗り上げ部
１７    入口部
１７ａ  一側面
２０    ガイド傾斜面
２９    補助係止アーム
３６    係止突起
３６ａ  傾斜面
３６ｃ  係止面
４２    仮係止用の孔部
４２ｃ  当接面
４３    本係止用の孔部
【図１】
0003675242.tif 000002
【図２】
0003675242.tif 000003
【図３】
0003675242.tif 000004
【図４】
0003675242.tif 000005
【図５】
0003675242.tif 000006
【図６】
0003675242.tif 000007
【図７】
0003675242.tif 000008
【図８】
0003675242.tif 000009
【図９】
0003675242.tif 000010
【図１０】
0003675242.tif 000011
【図１１】
0003675242.tif 000012
【図１２】
0003675242.tif 000013
【図１３】
0003675242.tif 000014
【図１４】
0003675242.tif 000015